(57)【要約】【課題】  介護者が便座後方からトイレ使用者の世話を容易に行うことができるとともに、トイレ使用者が便座にゆったりと腰掛けることができる省スペースの介護用のポータブルトイレを提供すること。【解決手段】  床面に載置される脚部を有する本体部１と、この本体部１に設けて便座４を有するトイレ本体２と、この本体部１後部の便座４上に後方へ開閉自在に枢着した腰掛け用の座板３とを備えており、座板３をその開時に所定の立てた状態に保持されるとともに本体部１に対して着脱自在となるよう形成している。このため本体部１後端面に左右方向の軸方向を有する回動軸５を本体部１後端面と離間して設け、座板３後端部に本体部１後端面と回動軸５との隙間を貫通する垂下片を垂設し、この垂下片の下端部に後方へ保持片を突設して回動軸５に垂下片および保持片を枢着させるようにした。【選択図】  図１
2005152276.tif 000002
【特許請求の範囲】
【請求項１】
床面に載置される脚部を有する本体部と、この本体部に設けて便座を有するトイレ本体と、この本体部後部の便座上に後方へ開閉自在に枢着した腰掛け用の座板とを備えてなり、座板の閉時に便座を覆い、座板の開時に前記便座を露出させるようにしたポータブルトイレにおいて、座板をその開時に所定の立てた状態に保持されるとともに本体部に対して着脱自在となるよう形成してなることを特徴とするポータブルトイレ。
【請求項２】
本体部後端面に左右方向の軸方向を有する回動軸を本体部後端面と離間して設け、座板後端部に本体部後端面と回動軸との隙間を貫通する垂下片を垂設し、この垂下片の下端部に後方へ保持片を突設して回動軸に垂下片および保持片を枢着させることより、座板をその開時に所定の立てた状態に保持されるとともに本体部に対して着脱自在となしたことを特徴とする請求項１記載のポータブルトイレ。
【請求項３】
垂下片に保持片と対向する支持片を設け、この保持片と支持片とで回動軸を挟持させてなることを特徴とする請求項２記載のポータブルトイレ。
【請求項４】
回動軸を本体部後部に上下スライド可能に遊着してなることを特徴とする請求項２又は３記載のポータブルトイレ。
【発明の詳細な説明】
【技術分野】
【０００１】
本発明は、介護用等に用いられる腰掛け式のポータブルトイレに関する。
【背景技術】
【０００２】
病人や老人等の介護用の可搬型トイレとして、床面に載置される脚部を有する本体部と、この本体部に設けたトイレ本体と、この本体部のトイレ本体上方に上下方向に折り畳み開閉自在に設けた腰掛け用の座板とを備えたポータブルトイレが提供されている。（実公平７−６８７５号公報）このポータブルトイレでは、座板の閉時にトイレ本体の便座を覆い、座板の開時に前記便座を露出させるようにしており、座板の閉時には、座板が便座を覆って略水平状態に保持されて通常の腰掛け椅子の形態を有して人が座板上に腰掛けることができ、座板の開時には、便座を露出させようにし、人が便座上に腰掛けて腰掛け式の簡易トイレと使用することができる。しかしながらこのポータブルトイレでは、座板の開時に座板が本体部の便座後方に立てた状態で保持されており、介護者が便座後方からトイレ使用者の世話をするときにこの座板が邪魔になるという問題がある。
【０００３】
一方、前述のポータブルトイレと異なり、座板を本体部対してに着脱可能にして座板を本体部の後方に落下可能としたポータブルトイレが提供されている。（特開平１０−２２９９５５号公報）このポータブルトイレでは、座板を本体部から取り外して後方に落下させることができ、介護者が便座後方からトイレ使用者の世話をするときにこの座板が邪魔にならずに容易に行うことができる。
【０００４】
しかしながらこのポータブルトイレでは、本体部に座板を本体部の所定位置に位置決めするため、本体部における座板を支持する箇所の四方側に設けた立ち上げ部などからなる位置決め手段が必要となり、座板を取り外してトイレ使用するときに便座がこの立ち上げ部上端よりも下方位置にあるため、この立ち上げ部がトイレ使用者の邪魔になることがあるという問題がある。特に前側の立ち上げ部は便座に腰掛けた人の太もも付近にあるため、ゆったりと便座に腰掛けることができないという問題がある。さらに、座板を後方落下させるための後方スペースが必要となり、室内の壁面に近い位置にはポータブルトイレの背を向けて置けないという不都合が生じる。
【特許文献１】実公平７−６８７５号公報
【特許文献２】特開平１０−２２９９５５号公報
【発明の開示】
【発明が解決しようとする課題】
【０００５】
本願発明は、上記事由に鑑みてなされたものであり、その課題は、介護者が便座後方からトイレ使用者の世話を容易に行うことができるとともに、トイレ使用者が便座にゆったりと腰掛けることができる省スペースの介護用のポータブルトイレを提供することである。
【課題を解決するための手段】
【０００６】
上記課題を解決するために、本願発明は、床面に載置される脚部を有する本体部と、この本体部に設けて便座を有するトイレ本体と、この本体部後部の便座上に後方へ開閉自在に枢着した腰掛け用の座板とを備えてなり、座板の閉時に便座を覆い、座板の開時に前記便座を露出させるようにしたポータブルトイレにおいて、座板をその開時に所定の立てた状態に保持されるとともに本体部に対して着脱自在となるよう形成したものである。
【発明の効果】
【０００７】
本願発明のポータブルトイレにおいては、使用者は座板を開いて立てた状態に保持させ、これにより露出した便座に腰掛けて排便を行う。もし使用者の排便の世話をする必要がある場合、世話を行う介護者が立てた状態の座板を本体部から取り外して使用者が便座に腰掛けてトイレ動作を行う。このとき、介護者が本体部後方から使用者の排便の補助を行うなどの世話を座板に邪魔されずに容易に行うことができる。さらに、座板が本体部に支持されているため便座上に位置決め手段が不要であり、ゆったりと便座の上に腰掛けることができる。また座板を所定の立てた状態に保持できるので、後方スペースの少ない場所に置いても使用に不都合が生じないものとなっている。
【発明を実施するための最良の形態】
【０００８】
図１〜図１０は、本願の請求項１〜４の全てに対応した一実施形態であるポータブルトイレを示している。この実施形態のポータブルトイレは、図１〜図１０に示すように、床面に載置される脚部を有する本体部１と、この本体部１に設けて便座４を有するトイレ本体２と、この本体部１後部の便座４上に後方へ開閉自在に枢着した腰掛け用の座板３とを備えており、座板３の閉時に便座４を覆い、座板３の開時に前記便座４を露出させるようにしている。また座板３をその開時に所定の立てた状態に保持されるとともに本体部１に対して着脱自在となるよう形成している。このため本体部１後端面に左右方向の軸方向を有する回動軸５を本体部１後端面と離間して設け、座板３後端部に本体部１後端面と回動軸５との隙間を貫通する垂下片を垂設し、この垂下片の下端部に後方へ保持片を突設して回動軸５に垂下片および保持片を枢着させるようにしている。また垂下片に保持片と対向する支持片を設け、この保持片と支持片とで回動軸５を挟持させている。また回動軸５を本体部１後部に上下スライド可能に遊着しているものである。なお以下の説明では、垂下片を垂下板１９と称し、支持片、保持片および支持片と保持片との間の垂下片の一部とでＵ字型形状を有しているため、これらでＵ字型部６と称している。
【０００９】
脚部は、前後方向に長い接地体７に前後一対の脚支柱８を立設して形成されるものである。そして、脚支柱８の上部を本体部１に下側から差し込んでねじ止めすることにより、脚部を本体部１に固定するようにしてある。このねじ止めする箇所を調整することによって高さ調整できるようにしてある。また接地体７の後端にキャスター９が取付けてあり、ポータブルトイレを後方へ傾けた状態でキャスター９によって移動させることができるようにしてある。
【００１０】
本体部１は上面が開口する箱状に形成され、開口から本体部１内に防汚トレイ１０をはめ込むとともに、防汚トレイ１０内にバケツ蓋１１を被せた便受けバケツ１２を収容するようにしてある。また防汚トレイ１０の上には中央部が開口となった便座４が載置してあり、便座４の上には座板３が載置してある。座板３は、それぞれ木質材等からなる基板上にクッション材を設けた略同形状の前板１３と後板１４とから形成してあり、前板１３後端面と後板１４前端面とを当接させ前板１３及び後板１４の両基板の突合せ端部の下面に跨って固定された蝶番１５によって、前板１３及び後板１４の両下面が合わさるようにして折り畳み自在に形成されている。後板１４の後端部の両側端部にそれぞれ枢支金具１６が取付けてあり、この枢支金具１６が後述する本体部１の後端部に固定した支持金具１７に枢着してある。そして前板１３と後板１４とを折り畳みながら後方へ回動させることによって、座板３を立てた状態にすることができるとともに、この状態で本体部１から引き抜くことができるようにしてある。なお、座板３前側端部に引き出し用の引出片が設けてある。
【００１１】
枢支金具１６は、座板３の後板１４後端部の両側端部に設けられ、後板１４下面に固定される固定板１８とこの固定板１８後端に垂下された垂下片と、この垂下片の先端に座板３後方に開口を有するＵ字型部６とから形成されている。固定板１８は、略四角板状に形成され座板３にネジ固定するためのネジ孔が複数箇所に設けてある。垂下片は、上部が逆台形状に下部が長方形状に形成されている。Ｕ字型部６は、下片６ａ、この下片６ａに対向する上片６ｂ及び底片６ｃから形成されている。垂下片の下端部を下方および両外方に延設して横長の長方形状部が形成され、この長方形状部の下端部が座板３後方へ曲折されてＵ字型部６の下片６ａを形成し、長方形状部の下片６ａ近傍が底片６ｃを形成している。また長方形状部の延設された両側部の上端部がそれぞれ座板３後方へ曲折されて左右の上片６ｂを形成している。このＵ字型部６の凹所は後述する支持金具１７に設けた回転軸にちょうど嵌合して回動できる大きさに形成してある。
【００１２】
支持金具１７は、本体部１後部の上縁部の枢支金具１６と対応する位置に設けられ、本体部１後部の上面にネジ着される水平板２０と、この水平板２０後端に垂下され本体部１後部の後面にネジ着される鉛直板２１と、この鉛直板２１の後面側に突設した軸受け２２と、この軸受け２２に保持される左右方向の回転軸と、軸受け２２両外方に設けた軸ストッパー２３とから形成されている。水平板２０は、略四角板状に形成され座板３にネジ固定するためのネジ孔が複数箇所に設けてある。鉛直板２１は、上部片が水平板２０の横幅同寸で、下部片が上部片よりも両外方へ拡幅された凸形状を有しており、下部片に本体部１後部の後面上部にネジ固定するためのネジ孔が複数箇所に設けてある。軸受け２２は、鉛直板２１の両側下部片のそれぞれの上部に上方へ延設された折り曲げ片を後方へリング状に折り曲げることにより略円筒状に形成されるものである。この両軸受け２２は同軸に対向形成され、内径は回転軸の外径よりもやや大きく形成されている。そして、両軸受け２２に回転軸の両端部が挿入された状態では、回転軸は両軸受け２２に遊着されており、上下および前後方向にスライド可能になっている。また、軸ストッパー２３は、軸受け２２に挿入された回転軸が軸受け２２外方に抜け落ちないようにするものであり、鉛直板２１の両側下部片の両軸受け２２外方に上方へ向けて延設された折り曲げ片を後方へリング状に折り曲げることにより形成されるものである。この軸ストッパー２３の折り曲げ片は軸受け２２の筒状空間の略中央に位置しており、この軸ストッパー２３と軸受け２２の間の隙間が回転軸の外径よりも幅狭に形成されているので、軸受け２２内に保持された回転軸両端が軸ストッパー２３に当接して抜け出ないようにしているのである。なお両軸受け２２間の隙間距離は枢支金具１６の両Ｕ字型部６の長さと略同寸に形成されており、両軸受け２２間に露出する回転軸に側方からＵ字型部６の凹所を嵌合できるとともに、Ｕ字型部６が軸方向に沿って移動しないようにしている。
【００１３】
本体部１の背部側端部の両側端部にそれぞれ背もたれ支柱２６が立設してあり、この左右一通の背もたれ支柱２６の上部間に表面がクッション材となった背もたれ板２５を取付けることによって、背もたれ２４が形成してある。この背もたれ支柱２６、背もたれ板２５、本体部１背部側端面とで囲まれた略長方形状の空間は、座板３の前板１３及び後板１４の外形よりも大きく形成してあり、前板１３と後板１４とを折り畳みながら後方へ回動させたとき、この空間を座板３が通り抜けてさらに背もたれ２４の後方へ回動できるようにしてある。
【００１４】
また、本体部１の両側には肘掛け２７が取付けてある。肘掛け２７は表面をクッション材などで形成した肘掛け板２８の前部下面に肘掛け支柱２９を軸ピン３０で回動自在に枢着して形成してある。肘掛け板２８の後端部には回動金具３１が取付けてあり、回動金具３１を背もたれ支柱２６に固定することによって、肘掛け板２８の後端を背もたれ支柱２６に上下回動自在に枢支するようにしてある。また肘掛け支柱２９の下端部には係止具３２が設けてあり、本体部１の先端部の側面に固定した支柱受け具３３に肘掛け支柱２９の下端を差し込んで、係止具３２を支柱受け具３３に係合することによって、肘掛け支柱２９を支柱受け具３３で本体部１に支持するようにしてある。したがって、係止具３２による係止を外して、肘掛け板２８を回動金具３１で上方に回動すると共に、肘掛け支柱２９を回動して肘掛け板２８に肘掛け支柱２９を沿わせることによって、肘掛け２７を跳ね上げて背もたれ２４と平行に立てることができ、座部の側方が開放した状態にして、例えばベッドから本体部１の上に移乗したり、本体部１からベッドに移乗したりすることが容易になるものである。
【００１５】
このようなポータブルトイレでは、上記の各部材のうち座部、脚部、背もたれ２４、肘掛け２７は主として木質材から形成されており、ポータブルトイレ全体の外観が家具調を呈するようにしてある。そして本体部１の座板３の上に座ることによって、ポータブルトイレを椅子として使用することができるものである。このとき、支持金具１７の回転軸に枢支金具１６のＵ字型部６が嵌合しており、Ｕ字型部６の開口は後方を向いている。この場合ではＵ字型部６の引き抜き可能な方向である前方には鉛直板２１があるため、Ｕ字型部６が鉛直板２１に当接してＵ字型部６の回転軸からの引き抜きを防止して座板３が位置ずれしないようになっている。使用者が一人で排便を行う場合には、座板３の前板１３と後板１４とを折り畳みながら後方へ回動させて便座４を露出させる。このときＵ字型部６は回動軸５に嵌合した状態で後周りに回動し、固定板１８および垂下片も後方へ回動する。そして折り畳まれた座板３が背もたれ板２５下方の空間をくぐり抜けてやや後方へ傾いた立てた状態になったとき、Ｕ字型部６の下片６ａの外側面が支持金具１７の鉛直板２１外面に当接してＵ字型部６の回動、すなわち座板３の後方への回動が規制され、座板３はこの状態に姿勢保持される。使用者は、バケツ蓋１１を開いた後に、便座４の上に座って便受けバケツ１２に排便することができる。座板３は背もたれ２４よりも後方に位置しているため、使用者は座板３に背中が触れることなく背もたれ２４にもたれることもできる。排便が終わったあとは便受けバケツ１２をその取っ手を掴んで取り出して、破棄することができるようにしてある。座板３を元に戻す場合は、座板３を折り畳んだ状態で前方へ回動させて背もたれ板２５下方の空間をくぐらせ、この後、前板１３を前方へ引き上げながら後板１４をさらに前方に回動させると、折り畳まれた座板３が平板状になり、この状態で座板３を便座４上に載置する。
【００１６】
使用者が要介護者、病人又は老人で、排便後のお尻を拭くなどの作業が一人では困難な場合、介護人が排便の世話を行う場合には、本体部１上に立てた状態の座板３が世話の邪魔になるため、この場合には介護者が座板３を本体部１から取り外して背もたれ板２５下方の空間が開口するようにし、背もたれ２４後方からこの空間に手を通して使用者のお尻を拭くなどの世話作業を行うようにする。この座板３の取り外しは、本体部１上に立てられた座板３を座板３面に沿って上方へ引き上げることによって行う。このときＵ字型部６の下片６ａが支持金具１７の鉛直板２１と回転軸との隙間を通り抜けて回転軸からＵ字型部６が引き抜かれる。介護者は取り外した座板３を適当な場所に置いた後に前述の世話作業を行う。取り外した座板３を元に戻す場合、座板３を背もたれ２４後方位置で立てた状態にして回動軸５の上方にＵ字型部６の開口を位置させ、この状態で座板３を下降させて回動軸５をＵ字型部６の凹所に収容させる。このとき回動軸５とＵ字型部６が嵌合して座板３は本体部１に枢支される状態になる。このとき座板３を手放してもＵ字型部６の下片６ａが支持金具１７の鉛直板２１に当接して座板３は立てた状態に保持される。
【００１７】
このようなポータブルトイレでは、使用者は座板３を開いて立てた状態に保持させ、これにより露出した便座４に腰掛けて排便を行う。もし使用者の排便の世話をする必要がある場合、世話を行う介護者が立てた状態の座板３を本体部１から取り外して使用者が便座４に腰掛けてトイレ動作を行う。このとき、介護者が本体部１後方から使用者の排便の補助を行うなどの世話を座板３に邪魔されずに容易に行うことができる。さらに、座板３が本体部１に支持されているため便座４上に位置決め手段が不要であり、ゆったりと便座４の上に腰掛けることができる。また座板３を所定の立てた状態に保持できるので、後方スペースの少ない場所に置いても使用に不都合が生じないものとなっている。また、本体部１後部に設けた回動軸５に座板３のＵ字型部６を嵌合連結させることにより、回動軸５を中心に座板３を前後方向に回動させることができる。また座板３のＵ字型部６の前側片が離間した本体部１後面と回動軸５との隙間に差し込まれおり、座板３を立てた状態にしたとき前側片が本体部１後面に接触して座板３の後方への倒れを防止して座板３を立てた状態に保持する事ができる。また座板３を立てた状態にしたときＵ字型部６の開口が下方に向いているので座板３を上方に引き抜くことができる。また、座板３の閉時に座板３下面と本体部１上面との隙間誤差を本体部１に遊着された回動軸５が上下に移動して埋めるので、座板３下面と本体部１上面とが常に接触した状態にでき、座板３に人が腰掛けても回動軸５に大きな荷重がかかることなく回動軸５を保護している。
【図面の簡単な説明】
【００１８】
【図１】本発明の実施形態のポータブルトイレを示す斜視図であり、座板を閉じた状態を示す。
【図２】同上のポータブルトイレを示す斜視図であり、座板を開いた状態を示す。
【図３】同上のポータブルトイレに用いる座板を示す３面図である。
【図４】同上のポータブルトイレの座板を閉じた状態を示す背面図である。
【図５】同上のポータブルトイレの座板を本体部に取り付けるため本体部に固定される取付金具を示す３面図である。
【図６】同上のポータブルトイレの座板を本体部に取り付けるため座板に固定され枢支金具を示す３面図である。
【図７】同上のポータブルトイレの座板の取り外し動作を示す要部の縦断面図であり、（ａ）は座板を閉じた状態、（ｂ）は座板を開いて立てた状態、（ｃ）は座板を本体部から取り外した状態を示す。
【図８】同上のポータブルトイレの座板の取り外し動作を示す後方からの斜視図である。
【図９】同上のポータブルトイレのの便受け槽の取り出し動作を示す要部の斜視図である。
【図１０】同上のポータブルトイレの肘掛けの跳ね上げ動作を示す斜視図である。
【符号の説明】
【００１９】
１    本体部
２    トイレ本体
３    座板
４    便座
５    回動軸
６    Ｕ字型部
６ａ    下片
６ｂ    上片
６ｃ    底片
７    接地体
８    脚支柱
９    キャスター
１０    防汚トレイ
１１    バケツ蓋
１２    便受けバケツ
１３    前板
１４    後板
１５    蝶番
１６    枢支金具
１７    支持金具
１８    固定板
１９    垂下板
２０    水平板
２１    鉛直板
２２    軸受け
２３    軸ストッパー
２４    背もたれ
２５    背もたれ板
２６    背もたれ支柱
２７    肘掛け
２８    肘掛け板
２９    肘掛け支柱
３０    軸ピン
３１    回動金具
３２    係止具
３３    支柱受け具
３４    引出片
３５    本体部の天板
３６    本体部の横架板
３７    ペーパー収納部
【図１】
2005152276.tif 000003
【図２】
2005152276.tif 000004
【図３】
2005152276.tif 000005
【図４】
2005152276.tif 000006
【図５】
2005152276.tif 000007
【図６】
2005152276.tif 000008
【図７】
2005152276.tif 000009
【図８】
2005152276.tif 000010
【図９】
2005152276.tif 000011
【図１０】
2005152276.tif 000012